(57)【要約】【課題】この発明は、簡易な構成でありながら、片手で操作できる車椅子を提供することを目的とする。【解決手段】この発明の車椅子は、車椅子１の左右一対の車輪２ａ、２ｂのうち一方の車輪に取り付けられた第１車軸５ａと、他方の車輪に取り付けられた第２車軸５ｂと、第１車軸５ａと第２車軸５ｂの連結・切り離しを行うクラッチ６と、座席の側部でクラッチ６の連結・切り離しの切替を行うクラッチ操作部材１３と、クラッチ操作部材１３に連動してクラッチ操作部材１３が設けられていない側の車輪のブレーキ４ｂの切替を行うブレーキ操作部材を有し、クラッチ６が接続状態にあるときに前記ブレーキ４ｂを解除状態にし、クラッチ６が切り離し状態にあるときに前記ブレーキ４ｂを作動させるようになしたものである。【選択図】図１
2006055630.tif 000002
【特許請求の範囲】
【請求項１】
車椅子の左右一対の車輪のうち一方の車輪に取り付けられる第１車軸と、他方の車輪に取り付けられる第２車軸と、第１車軸と第２車軸の連結・切り離しを行うクラッチと、クラッチの連結・切り離しの切替を行うクラッチ操作部材と、クラッチ操作部材に連動して片側の車輪のブレーキの切替を行うブレーキ操作部材を有し、クラッチが接続状態にあるときにブレーキを解除状態にし、クラッチが切り離し状態にあるときにブレーキを作動させるようになした車椅子の操作部材。
【請求項２】
車椅子の左右一対の車輪のうち一方の車輪に取り付けられた第１車軸と、他方の車輪に取り付けられた第２車軸と、第１車軸と第２車軸の連結・切り離しを行うクラッチと、座席の側部でクラッチの連結・切り離しの切替を行うクラッチ操作部材と、クラッチ操作部材に連動してクラッチ操作部材が設けられていない側の車輪のブレーキの切替を行うブレーキ操作部材を有し、クラッチが接続状態にあるときに前記ブレーキを解除状態にし、クラッチが切り離し状態にあるときに前記ブレーキを作動させるようになした車椅子。
【発明の詳細な説明】
【技術分野】
【０００１】
本発明は、片手でも操作ができる車椅子に関する。
【背景技術】
【０００２】
通常の車椅子は左右の車輪が独立して回転するようになっており、左右の車輪を同時に回転させることによって直進し、一方の車輪のみを回転させることによって方向転換を行う。したがって、直進するときは必ず左右両手を使って車輪を回転させなければならず、片手で操作することはできない。そのため、片手が不自由な者が使用することができない。また、両手を車椅子の操作に取られるので、片手で物を持って移動したり、移動しながら手で何らかの作業を行ったりすることができない。
【０００３】
そこで、特許文献１〜４には左右の車輪をクラッチを介して結合し、片側の車輪の回転を他方の車輪に伝達することにより、片手で直進することができる車椅子が記載されている。クラッチを操作して連結を解除することによって、方向転換することもできるものである。また、特許文献４には、一方の車輪を回転させると他方の車輪を逆方向に回転させるように連結することが記載されており、車椅子を点旋回動作可能にしている。
【特許文献１】特開平７−５１３１６号公開特許公報
【特許文献２】特開平１０−２２５４８４号公開特許公報
【特許文献３】特開２００４−９７６０５号公開特許公報
【特許文献４】特開２００４−１４１４５２号公開特許公報
【発明の開示】
【発明が解決しようとする課題】
【０００４】
特許文献１〜３に記載された車椅子は、左右の車輪の連結を切り離すことによって、一方の車輪の回転が他方に直接的に伝達されないようにすることができる。この状態で片側の車輪を回転させることにより車椅子の向きを変えることができるが、他方の車輪にはブレーキがかかっていないので完全に回転は止まらず、方向転換時の移動距離は大きくなるので、狭い場所での使用が行えない。特許文献４においては旋回モードにおいて片側の車輪の回転を他方には逆方向に伝達するので、車椅子を中心としたピボットターンが可能であるが、このように逆方向に回転を伝えるためには複雑な連結機構が必要となる。
【０００５】
この発明は、簡易な構成でありながら、片手で操作できる車椅子を提供することを目的とする。
【課題を解決するための手段】
【０００６】
上記の目的を解決するために、本発明の車椅子の操作部材は、車椅子の左右一対の車輪のうち一方の車輪に取り付けられる第１車軸と、他方の車輪に取り付けられる第２車軸と、第１車軸と第２車軸の連結・切り離しを行うクラッチと、クラッチの連結・切り離しの切替を行うクラッチ操作部材と、クラッチ操作部材に連動して片側の車輪のブレーキの切替を行うブレーキ操作部材を有し、クラッチが接続状態にあるときにブレーキを解除状態にし、クラッチが切り離し状態にあるときにブレーキを作動させるようになしたものである。
【０００７】
さらに、本発明の車椅子は、車椅子の左右一対の車輪のうち一方の車輪に取り付けられた第１車軸と、他方の車輪に取り付けられた第２車軸と、第１車軸と第２車軸の連結・切り離しを行うクラッチと、座席の側部でクラッチの連結・切り離しの切替を行うクラッチ操作部材と、クラッチ操作部材に連動してクラッチ操作部材が設けられていない側の車輪のブレーキの切替を行うブレーキ操作部材を有し、クラッチが接続状態にあるときに前記ブレーキを解除状態にし、クラッチが切り離し状態にあるときに前記ブレーキを作動させるようになしたものである。
【発明の効果】
【０００８】
以上、この発明は、片手だけで簡単に車椅子の直進・方向転換の操作が行えるという効果を有する。したがって、片手が不自由な人でも使用することができる車椅子が実現でき、また、片手で物を持ったり作業しながら移動することができる。また、方向転換時の移動距離が小さいので、狭い場所でも使用することができる。
【発明を実施するための最良の形態】
【０００９】
この発明を実施するための最良の形態について図面に基づいて説明する。図１はこの発明を適用した車椅子の例を示す背面図であり、図２は同右側面図、図３は同左側面図である。この例は右手で操作する車椅子を示す。
【００１０】
車椅子１は右車輪２ａと左車輪２ｂを対に備える。そして、利き手側である右車輪２ａにはリム３が設けられている。左車輪２ｂにはリムは必ずしも必要でない。さらに、右車輪２ａおよび左車輪２ｂをそれぞれ停止させるためのブレーキ４ａ、４ｂが設けられている。これらの部材は通常の車椅子に備えられているものである。
【００１１】
右車輪２ａの中心には右車軸５ａ（第１車軸）が、左車輪２ｂの中心には左車軸５ｂ（第２車軸）がそれぞれ内側方向へ向いて設けられている。そして、右車軸５ａと左車輪２ｂの間には、両車軸の連結・切り離しを行うクラッチ６が設けられている。図４および図５は、このクラッチ６の詳細を示す。クラッチ６はオス連結器７とメス連結器８の組合せで構成されており、右車軸５ａの先端部にはメス連結器８が、左車輪５ｂの先端部にはオス連結器７が設けられている。オス連結器７はスライダー９に取り付けられており、車軸方向に沿って進退可能になっている。コイルバネ１０はスライダー９を図４の右方向に付勢するように設けられており、オス連結器７をメス連結器８に押し付けるように作用する。また、スライダー９にはワイヤー１１が取り付けられており、ワイヤー１１によって図４の左方向に引かれると、オス連結器７はメス連結器８から切り離される。
【００１２】
本例において、クラッチ６は連結時に両回転方向に回転を伝達するものである。図５に示すように、オス連結器７の周囲表面には、角度を持った三角形の凹凸が設けられていている。メス連結器８には突起１２が設けられており、オス連結器７の凹部とかみ合うようになっている。オス連結器７とメス連結器８を連結させると、前転・後転のいずれの場合にも右車軸５ａの回転は左車軸５ｂに伝達される。オス連結器７とメス連結器８を切り離すと、左右の車輪２ａ、２ｂは独立した回転をすることができる。
【００１３】
車椅子１の右側には、クラッチ操作部材としてクラッチ切替レバー１３が設けられている。スライダー９に取り付けられたワイヤー１１はこのクラッチ切替レバー１３に接続されている。クラッチ切替レバー１３は、クラッチ６が連結状態となる位置と、クラッチ６が切り離し状態となる位置とに切り替えることができ、この切替によってクラッチ６の操作を行う。また、クラッチ切替レバー１３は左車輪のブレーキ４ｂとも接続されている。クラッチ６が連結状態となるときに左車輪のブレーキ４ｂは解除され、クラッチが切り離し状態にあるときにブレーキを作動させるようになっている。
【００１４】
車椅子１の右側には右ブレーキ操作レバー１４が設けられており、右ブレーキ４ａの作動・解除の切り替え操作が行えるようになっている。さらに、右ブレーキ操作レバー１４には左ブレーキ４ｂも接続されており、右ブレーキ４ａの作動・解除に連動させて左ブレーキ４ｂも作動・解除させることができる。
【００１５】
図６は右車軸５ａの詳細図である。右車軸５ａの途中には切り離しが可能な部分が設けられている。支点１５を中心に回転可能な回転棒材１６と、この回転棒材１６の先端部と係合する固定棒材１７がある。回転棒材１６と固定棒材１７の先端には相互に係合する突起と溝が設けられており、回転棒材１６を回転させることによって回転棒材１６と固定棒材１７の連結・切り離しを行う。車椅子１の使用時には回転棒材１６と固定棒材１７とは連結されている。この接続部分を囲周するカバー１８が設けられており、コイルバネ１９の付勢力によって、通常はカバー１８は接続部分上に保持されるので、回転棒材１６と固定棒材１７との連結が保たれる。このカバー１８をコイルバネ１９の付勢力に逆らって右側にスライドすると、接続部分が切り離し可能になるので、車椅子を折りたたむことができる。
【００１６】
ついで、この車椅子１の操作について説明する。移動、方向転換をするときは、ブレーキ操作レバー１４はブレーキ解除状態にする。そして、直進するときには、クラッチ切替レバー１３をクラッチ連結状態にする。この状態でリム３によって右車輪２ａを前進方向に回転すると、その回転はクラッチ６を介して左車輪２ｂに伝達され、両車輪は同期して回転するので、車椅子１は直進する。すなわち、左手を使用することなく、右手で右車輪２ａのリム３を回転させるだけで前に直進することができる。同様に、右車輪２ａを後進方向に回転すると、その回転はクラッチ６を介して左車輪２ｂに伝達され、車椅子１は後進する。
【００１７】
方向転換するときは、クラッチ切替レバー１３をクラッチ切り離し状態にする。これに連動して左ブレーキが作動する。この状態でリム３を回転すると、右車輪２ａだけが回転する。右車輪２ａを前進方向に回せば車椅子は左方向に旋回し、右車輪２ａを後退方向に回せば車椅子は右方向に旋回する。ここで、左車輪２ｂは左ブレーキ４ｂによって固定されているために、左車輪２ｂを中心としてほぼ最小半径で車椅子は旋回するので、方向転換に必要な移動は最小限になり、狭い場所でも使用することができる。
【００１８】
以上、車椅子１の構成および操作について、右手で操作する場合の例で説明したが、上述の構成を左右逆にして適用することによって左手で操作する場合にも適用できる。
【００１９】
本例の車椅子において、フレームや座席、車輪２ａ、２ｂなど多くの部分は市販されている通常の車椅子が備えているものをそのまま利用している。これに、車椅子右車軸５ａ、左車軸５ｂ、クラッチ６、クラッチ切替レバー１３を含む車椅子の操作部材を付加することによって片手で操作できる車椅子を実現した。したがって、極めて簡易な構成で実施することができるものである。また、従来の車椅子の生産設備や生産工程に対してわずかな変更を行うだけで、本例の車椅子を生産することができる。さらに、右車軸５ａ、左車軸５ｂ、クラッチ６、クラッチ切替レバー１３など操作部を構成する部材をセットにして、車椅子の改造キットとして供給してもよい。この場合、それまで使用してきた車椅子を片手操作用に改造することができるので、新たな車椅子を購入しないでも使い慣れた車椅子を使用し続けることができる。
【００２０】
本例の車椅子１は、ハンドル２０の近くに介助者用ブレーキ操作レバー２１が設けられている。介助者は介助者用ブレーキ操作レバー２１によって、ブレーキ４ａ、４ｂの作動・解除を操作する。しかし、介助者用ブレーキ操作レバー２１によってブレーキ４ａ、４ｂを解除しても、解除状態が維持されるのは介助者がハンドル２０を握っている間だけである。ハンドル２０を放すとブレーキ４ａ、４ｂが作動する。したがって、介助者が何らかの理由でブレーキの操作を継続できなくなっても、ブレーキ４ａ、４ｂが作動し、ブレーキの操作権が速やかに車椅子使用者に移行する。これによって、安全性が向上する。
【００２１】
図７は車椅子の別の例を示す背面図である。この例においては、支点を中心とした往復動を行うアーム２２と、このアームの往復動を右車軸２ｂの回転に変換するための双方向ラチェット２３を備えている。アーム２２の握り部にラチェット切替操作部材２４が設けられており、車輪２ａの回転方向を切り替えることができるようになっている。また、双方向ラチェット２３には図示しないクラッチが設けられており、右車軸５ａと左車軸５ｂの連結・切り離しができるようになっている。アーム２２を左右に移動させることによって、このクラッチの連結・切り離しを操作する。
【００２２】
この例の車椅子においては、アーム２２の往復動によって移動のための推進を行うので、利用者はリム３に触れる必要はない。また、クラッチの連結・切り離し、右車軸の前転後転も全てアーム２２の操作で行う。したがって、リム３を直接手で操作できない人でも本例の車椅子を使用することができる。通常の車椅子の操作においては利用者の衣服で操作する側の裾が車輪に触れて、その部分が汚れることがあるが、本例ではそのような汚れも防止できるので衛生面でも向上している。入院患者が使用するためにも適したものである。
【産業上の利用可能性】
【００２３】
この発明は、簡易な構成でありながら、片手で操作することができる車椅子として利用することができる。片手が不自由なためにこれまで車椅子が使用できなかった人も利用することができる。また、車椅子の操作を行う部分は、車椅子の改良用キットとして利用することができ、従来の車椅子に取り付けることによって片手操作可能な車椅子を実現することができる。
【図面の簡単な説明】
【００２４】
【図１】車椅子の一例を示す背面図である。
【図２】同右側面図である。
【図３】同左側面図である。
【図４】クラッチを示す詳細図である。
【図５】クラッチの構成を示す示す分解図である。
【図６】右車軸を示す詳細図である。
【図７】車椅子の別の例を示す背面図である。
【符号の説明】
【００２５】
１．車椅子
２．車輪
４．ブレーキ
５．車軸
６．クラッチ
１１．ワイヤー
１３．クラッチ切替レバー（クラッチ操作部材）
【図１】
2006055630.tif 000003
【図２】
2006055630.tif 000004
【図３】
2006055630.tif 000005
【図４】
2006055630.tif 000006
【図５】
2006055630.tif 000007
【図６】
2006055630.tif 000008
【図７】
2006055630.tif 000009